(57)【要約】本発明はごくスリムな導光フィルムを備えた発光キーパッド及びキーパッドバックライト用導光フィルムを提供する。特に、導光フィルムの下部に反射層が形成されて一層輝度が増加したことを特徴とする。本発明は、ＥＬシートの導入を除き、直接照明方式に比べて著しいスリム化を実現するとともに、少数の光源を使用しても反射層の導入により輝度が高く、少なくとも一面に所定のパターンを形成してキーパッドのキー領域などに発光集中度の高い発光面を提供する。【選択図】図１３
2008537311.tif 000002
【特許請求の範囲】
【請求項１】
多数のキーが形成されているキー板と、
前記キー板の下部に位置し、前記キーの全部または一部に対応するように多数の突起を有する背面層と、
前記背面層の下部に形成され、側面の光源から入射された光を面発光させる導光フィルムと、
前記導光フィルムの下部に位置し、前記突起の位置に対応するドームスイッチを有する基板とを備えてなり、
前記導光フィルムは、５０〜２５０μｍ範囲内の厚さを有するスリムなフィルムであることを特徴とする発光キーパッド。
【請求項２】
前記導光フィルムの下部には反射層が形成され、前記導光フィルムの前面及び後面のうちの少なくとも一面の特定領域には、キーパッドの所定の領域に光が集中的に供給されるように、パターンが集中して形成されることを特徴とする請求項１に記載の発光キーパッド。
【請求項３】
多数のキーが形成されているキー板と、
前記キー板の下部に位置し、前記キーの全部または一部に対応するように多数の突起を有する背面層と、
前記背面層の下部に形成され、側面の光源から入射された光を面発光させる導光フィルムと、
前記導光フィルムの下部に位置し、前記突起の位置に対応するドームスイッチを有する基板とを備えてなり、
前記ドームスイッチを有する基板の上面の全部または一部には反射層が形成されることを特徴とする発光キーパッド。
【請求項４】
前記導光フィルムは、５０〜２５０μｍ範囲内の厚さを有するスリムなフィルムであり、前記導光フィルムの前面及び後面のうちの少なくとも一面の特定領域には、キーパッドの所定の領域に光が集中的に供給されるように、パターンが集中して形成されることを特徴とする請求項３に記載の発光キーパッド。
【請求項５】
多数のキーが形成されているキー板と、
前記キー板の下部に位置し、側面の光源から入射された光を面発光させる導光フィルムと、
前記導光フィルムの下部の所定の位置に形成されている多数の突起と、
前記突起の下部に位置し、前記突起の位置に対応するドームスイッチを有する基板とを備えてなり、
前記導光フィルムは、５０〜２５０μｍ範囲内の厚さを有するスリムなフィルムであることを特徴とする発光キーパッド。
【請求項６】
前記導光フィルムの後面には反射層が形成され、前記導光フィルムの前面及び後面のうちの少なくとも一面の特定領域には、キーパッドの所定の領域に光が集中的に供給されるように、パターンが集中して形成されることを特徴とする請求項５に記載の発光キーパッド。
【請求項７】
前記導光フィルムは、ポリカーボネート(ＰＣ)またはポリエチレンテレフタレート(ＰＥＴ)材質であることを特徴とする請求項１乃至請求項６のうちのいずれか一項に記載の発光キーパッド。
【請求項８】
光源から入射された光を面発光させるキーパッドバックライト用導光フィルムであって、
前記導光フィルムの下部には反射層が形成され、
前記導光フィルムの前面及び後面のうちの少なくとも一面の特定領域には、キーパッドの所定の領域に光が集中的に供給されるように、パターンが集中して形成されることを特徴とするキーパッドバックライト用導光フィルム。
【請求項９】
前記導光フィルムと前記反射層は所定の間隔だけ離隔されることを特徴とする請求項８に記載のキーパッドバックライト用導光フィルム。
【請求項１０】
前記導光フィルムは、５０〜２５０μｍ範囲内の厚さを有するスリムなフィルムであることを特徴とする請求項８に記載のキーパッドバックライト用導光フィルム。
【請求項１１】
前記反射層はシート(Sheet)からなり、両面テープを用いて導光フィルムの後面の一側端、両側端または全面に取り付け形成されることを特徴とする請求項８に記載のキーパッドバックライト用導光フィルム。
【請求項１２】
前記パターンは、７０〜１５０℃範囲内で加熱した金型を用いてホットプレス方法で形成されることを特徴とする請求項８に記載のキーパッドバックライト用導光フィルム。
【請求項１３】
前記パターンは、光散乱剤含有インクを導光フィルムにシルクプリンティングして形成されることを特徴とする請求項８に記載のキーパッドバックライト用導光フィルム。
【請求項１４】
前記パターンは、光源から遠くなるほど、サイズが大きくなることを特徴とする請求項８に記載のキーパッドバックライト用導光フィルム。
【発明の詳細な説明】
【技術分野】
【０００１】
本発明は、キーパッドバックライト用導光フィルム及びこれを備えた発光キーパッドに関する。
【背景技術】
【０００２】
一般に、発光キーパッドはモバイルフォンのような通信機器に適用されて信号発生や各種付加機能を行うためのスイッチとして用いられる。また、発光キーパッドは夜中や暗い場所で数字や文字などのキーを識別する機能を備える。最近では、携帯端末機の薄型化の加速に従って超薄型の発光キーパッドが開発されて適用されている。
【０００３】
図１は従来の直接照明方式のＬＥＤ(Light Emitting Diode)キーパッドの断面図であって、印刷回路基板１００、ドーム１０２、直接照明用ＬＥＤ１０３及びキーパッド１０４で構成される。前記印刷回路基板１００は所定の接点端子１０１を備え、前記印刷回路基板の前面には前記複数のドーム及び直接照明用ＬＥＤが設けられる。また、前記ドーム及び直接照明用ＬＥＤの前方には、上面に数字や文字が印刷されており、下面には突起１０５を有するキーパッドが設けられる。
【０００４】
このような直接照明方式のＬＥＤキーパッドにおいては、印刷回路基板の前面に設けられた直接照明用ＬＥＤが発光してキーパッドを照らす。すなわち、ユーザによりキーパッドが押下されると、キーパッドの突起によりドームと印刷回路基板との接点端子が接続することによって、所定の電気信号を発生する。このように発生した電気信号によりＬＥＤが発光して点光源の形態でキーパッドを直接的に照らす。
【０００５】
しかしながら、上述した直接照明方式のＬＥＤキーパッドは、ＬＥＤの特性上、薄型製作が不可能なので、キーパッドが相対的に厚く製作される。また、ＬＥＤ発光による電力消耗量が多くてバッテリーの使用時間を縮める。さらに、ＬＥＤの配置位置に応じて発光均一度が不均一なので、設計上難題が伴われる。
【０００６】
図２は前記問題点を補完するための従来のＥＬ(Electroluminescence)方式の発光キーパッドの断面図であって、キートップ１１０、ＥＬメタルドームシート１２０及び印刷回路基板１３０で構成される。前記ＥＬメタルドームシート１２０はＥＬシート１２１、メタルドーム１２３及びベーステープ１２２で構成されて超薄膜化、低消費電力化を達成する。
【０００７】
このようなＥＬ方式のメタルドームキーパッドの機能を調べると、ユーザによりキートップ１１０が押下されると、キートップ１１０の後面に位置した突起１１１によりメタルドーム１２３と印刷回路基板１３０の固定接点端子１３１とが接触してスイッチング作動される。
【０００８】
しかしながら、上述した従来のＥＬ方式の発光キーパッドは、突起１１１によりＥＬシート１２１が連続して加圧、衝撃されてＥＬシートの損傷及び破損の恐れが高い。これにより、ＥＬの信頼性に大きな問題点をもたらし、キーパッドのクリック感覚を低下させるなどの問題点がある。また、ＥＬシートの特性上、ＬＥＤより寿命が短く、ＬＣＤモジュールにノイズを起こし、信頼性が低下するという問題点がある。さらに、ＬＥＤキーパッドの製作時よりも高いコストを要するという問題点もある。
【発明の開示】
【発明が解決しようとする課題】
【０００９】
前記問題点を解決するために、間接照明方式のＬＥＤ光源を備え、光をキーパッドに均一に供給するために光伝送特性に優れた光ファイバーを設けることが考慮できる。しかしながら、これは基本的にシリコン材質なので、スリム化が容易でなく、現実的に適用しにくいという問題点がある。
【００１０】
本発明は前記問題点を解決するためのものであって、ＥＬ方式のキーパッドの問題点を解決するために、ＥＬシートの導入を除き、直接照明方式に比べて著しいスリム化を達成するとともに、少数の光源を用いても反射層の導入により輝度が高く、少なくとも一面に所定のパターンを形成してキーパッドのキー領域に発光が集中するように、発光面を提供することができるキーパッドバックライト用導光フィルム及びこれを備えた発光キーパッドを提供することを目的とする。
【課題を解決するための手段】
【００１１】
前記目的を達成するための本発明は、多数のキーが形成されているキー板と、前記キー板の下部に位置し、前記キーの全部または一部に対応するように多数の突起を有する背面層と、前記背面層の下部に形成され、側面の光源から入射された光を面発光させる導光フィルムと、前記導光フィルムの下部に位置し、前記突起の位置に対応するドームスイッチを有する基板とを備えてなり、前記導光フィルムは、５０〜２５０μｍ範囲内の厚さを有するスリムなフィルムであることを特徴とする発光キーパッドを提供する。
【００１２】
さらに、前記導光フィルムの下部には反射層が形成され、前記導光フィルムの前面及び後面のうちの少なくとも一面の特定領域には、キーパッドの所定の領域に光が集中的に供給されるように、パターンが集中して形成されることを特徴とする発光キーパッドを提供する。
【００１３】
その上、本発明は、多数のキーが形成されているキー板と、前記キー板の下部に位置し、前記キーの全部または一部に対応するように多数の突起を有する背面層と、前記背面層の下部に形成され、側面の光源から入射された光を面発光させる導光フィルムと、前記導光フィルムの下部に位置し、前記突起の位置に対応するドームスイッチを有する基板とを備えてなり、前記ドームスイッチを有する基板の上面の全部または一部には反射層が形成されることを特徴とする発光キーパッドを提供する。
【００１４】
前記導光フィルムは５０〜２５０μｍ範囲内の厚さを有するスリムなフィルムであり、前記導光フィルムの前面及び後面のうちの少なくとも一面の特定領域には、キーパッドの所定の領域に光が集中的に供給されるように、パターンが集中して形成されることを特徴とする発光キーパッドを提供する。
【００１５】
さらに、本発明は、多数のキーが形成されているキー板と、前記キー板の下部に位置し、側面の光源から入射された光を面発光させる導光フィルムと、前記導光フィルムの下部の所定の位置に形成されている多数の突起と、前記突起の下部に位置し、前記突起の位置に対応するドームスイッチを有する基板とを備えてなり、前記導光フィルムは５０〜２５０μｍ範囲内の厚さを有するスリムなフィルムであることを特徴とする発光キーパッドを提供する。
【００１６】
また、前記導光フィルムの後面には反射層が形成され、前記導光フィルムの前面及び後面のうちの少なくとも一面の特定領域には、キーパッドの所定の領域に光が集中的に供給されるように、パターンが集中して形成されることを特徴とする発光キーパッドを提供する。
【００１７】
前記導光フィルムはポリカーボネート(ＰＣ)またはポリエチレンテレフタレート(ＰＥＴ)材質であることを特徴とする発光キーパッドを提供する。
さらに、本発明は、光源から入射された光を面発光させるキーパッドバックライト用導光フィルムであって、前記導光フィルムの下部には反射層が形成され、前記導光フィルムの前面及び後面のうちの少なくとも一面の特定領域には、キーパッドの所定の領域に光が集中的に供給されるように、パターンが集中して形成されることを特徴とするキーパッドバックライト用導光フィルムを提供する。
【００１８】
前記導光フィルムと前記反射層とは所定の間隔だけ離隔されることを特徴とするキーパッドバックライト用導光フィルムを提供する。
前記導光フィルムは５０〜２５０μｍ範囲内の厚さを有するスリムなフィルムであることを特徴とするキーパッドバックライト用導光フィルムを提供する。
【００１９】
前記反射層はシート(Sheet)からなり、両面テープを用いて導光フィルムの後面の一側端、両側端または全面に取り付け形成されることを特徴とするキーパッドバックライト用導光フィルムを提供する。
【００２０】
前記パターンは７０〜１５０℃範囲内で加熱した金型を用いてホットプレス方法で形成されることを特徴とするキーパッドバックライト用導光フィルムを提供する。
【００２１】
前記パターンは光散乱剤含有インクを導光フィルムにシルクプリンティングして形成されることを特徴とするキーパッドバックライト用導光フィルムを提供する。
【００２２】
前記パターンは光源から遠くなるほど、サイズが大きくなることを特徴とするキーパッドバックライト用導光フィルムを提供する。
【発明の効果】
【００２３】
本発明は上述した特徴的な構成により次のような効果を提供する。すなわち、本発明は、ＥＬ方式のキーパッドの問題点を解決するために、ＥＬシートの導入を除き、直接照明方式に比べて著しいスリム化を達成するとともに、少数の光源を用いても反射層の導入により輝度が高く、少なくとも一面に所定のパターンを形成してキーパッドのキー領域に発光が集中するように発光面を提供することのできるキーパッドバックライト用導光フィルム及びこれを備えた発光キーパッドを提供する。
【発明を実施するための最良の形態】
【００２４】
以下、添付図面を参照して本発明について詳しく説明する。
【００２５】
まず、本発明によるキーパッドバックライト用導光フィルムについて説明する。
【００２６】
図３乃至図５は、本発明の一実施形態によるキーパッドバックライト用導光フィルムの断面図である。キーパッドバックライト用導光フィルムは、光源１２から入射された光を面発光させるキーパッドバックライト用導光フィルムであって、前記導光フィルム１０の下部には反射層１１が形成され、前記導光フィルム１０の前面及び後面のうちの少なくとも一面の特定領域には、キーパッドの所定の領域に光が集中的に供給されるように、パターン１４が集中して形成されることを特徴とする。
【００２７】
前記導光フィルム１０は、その名称からわかるように、スリムなフィルムであることを特徴とし、従来の導光板とは異なり、５０〜２５０μｍ範囲内の厚さを有することが好ましい。従来の導光板の場合、厚さが厚くてクリック感覚が鈍感であり、発光キーパッドのスリム化に合わない。厚さが前記範囲より小さい場合には発光効率が低下し、前記範囲より大きな場合にはクリック感覚が悪く、スリム化の実現に難題があり得る。
【００２８】
前記導光フィルム１０の材質としては、導光性が良く、スリムかつ物性に優れた材料が好ましく、制限はないが、ポリカーボネート(ＰＣ)やポリエチレンテレフタレート(ＰＥＴ)がよい選択である。
【００２９】
導光フィルムが上述したようにスリムなフィルムの場合、相対的に厚い導光板より発光効率が低下する。これを解決するために、導光フィルムの下部に損なわれる恐れのある光を反射させる反射層１１を備えることが好ましい。
【００３０】
前記反射層１１の材質は、光を反射させる材質であれば、制限なく選択が可能であり、白色顔料などが単独またはペーストタイプとして用いられる。好ましくは、銀(Ａｇ)、二酸化チタン(ＴｉＯ２)、酸化亜鉛(ＺｎＯ)、硫酸バリウム(ＢａＳＯ４)、乳化亜鉛(ＺｎＳ)、鉛白(Lead White)及び酸化アンチモン(Ｓｂ２Ｏ３)からいずれか一つが選択されることが好ましい。
【００３１】
前記反射層の形成方法は、蒸着法により導光フィルムの後面に反射層が形成でき、コーティング法、プリンティング法などを用いることもできる。前記蒸着法、コーティング法及びプリンティング法に対してはよく知られているため、詳しい説明は省略する。
【００３２】
好ましくは、図４及び図５に示したように、前記反射層は反射物質を含有するシート(Sheet)からなり、両面テープ１３を用いて導光フィルムの後面の一側端、両側端または全面的に取り付けられて形成されることがよい。
【００３３】
前記反射層は前記導光フィルムと完全に密着することができ、前記導光フィルムから所定の間隔だけ離隔することもできる。前記所定の間隔だけ離隔させるための一つの方法は、図５に示したように、導光フィルムの一側端または両側端に所定の厚さを有する両面テープ１３を用いて前記反射層を接着させることによって実現が可能である。すなわち、一側端または両側端のみに反射層を接着させると、その他の部分においては両面テープの厚さに応じて所定の間隔だけ離隔が発生する。
【００３４】
必要に応じて、前記反射層の長さを前記導光フィルムの長さより長くし、端部を接着すると、余分の反射層の長さほど、より離隔することもできる。特に、発光キーパッドの場合、導光フィルムの下部に屈曲のあるドームスイッチを備えた基板が位置するため、前記反射層が前記ドームスイッチを備えた基板に接して位置するように反射層の長さを十分に長く形成することも好ましい。
【００３５】
前記反射層と導光フィルムとの離隔が発生すると、離隔空間に入射された光を反射層が反射させて導光フィルムを通じて外部に出光できて発光キーパッドの輝度を向上させる。
【００３６】
さらに、前記導光フィルムの前面及び後面のうちの少なくとも一面の特定領域には、キーパッドの所定の領域に光が集中的に供給されるように、パターン１４が集中して形成されることが好ましい。パターンがない場合に比べてパターンが存在する領域で発光が集中的に起こる。キーパッドの場合、数字、文字などのキー領域により集中的に発光することが重要なので、パターンをこれに対応するように位置させることがよい。
【００３７】
パターン１４の形成方法に制限はないが、ホットプレス方法を用いることがよい。本発明の導光フィルムは非常にスリムなフィルムなので、射出成型でパターンを形成することは容易でない。さらに、ホットプレス方法の場合にも、ごく高い温度で加熱される金型を用いる場合、導光フィルムが熱変形するなどの損失がある。したがって、このような損失を発生しない範囲内の温度で加熱された金型を用いることがよい。制限はないが、前記パターンは７０〜１５０℃範囲内で加熱した金型を用いてホットプレス方法で形成することがよい。
【００３８】
一方、前記パターンは、光散乱材含有インクを導光フィルムにシルクプリンティングして形成されることもできる。
【００３９】
図６及び図７は、本発明の他の一実施形態によるキーパッドバックライト用導光フィルムのパターンの一例を示した図である。導光フィルムに凹状のパターンが形成されていることを示したが、本発明はこれに限らず、凸状のパターン形成も含むことができる。前記パターンにより光が屈折、散乱してキーパッドに光がより効率的に放出される。
【００４０】
図８乃至図１０は、本発明のまた他の一実施形態によるキーパッドバックライト用導光フィルムのパターン１４の一例を示した図である。示したように、パターンが光源から遠くなるほど、密度が増えるようにパターンを形成することが、光源から遠くても近い位置と均一な発光面を提供するために好ましい。すなわち、光源から遠くなるほど、光源の供給量が減るため、パターンの密度を増加させて光をより多く散乱させて一層均一な発光面を得ることができる。示したように、パターンの距離調節、すなわち、パターン間の間隔を調節してパターンの密度を調節し（図８)、パターンのサイズを調節してパターンの密度を調節することができる（図９)。一方、均一な発光面でない特性領域(たとえば、キーパッドの文字領域)により多い発光を提供するために、特定領域にパターンを密集させて集中的な発光面を提供することもできる（図１０)。前記パターンの形状は互いに組み合わせが可能である。すなわち、間隔調節、サイズ調節及び集中度を組み合わせてパターンを形成することができる。すなわち、図１０において、前記パターンは光源から遠くなるほど、そのサイズが大きくなることができる。
【００４１】
前記パターン１４の形状には特別な制限はないが、導光板の表面を加工または印刷した形態であれば、本発明に含まれる。
【００４２】
以下、本発明による発光キーパッドについて説明する。
【００４３】
図１１及び図１２は、本発明の一実施形態による発光キーパッドの断面図である。
【００４４】
本発明の一実施形態による発光キーパッドは、多数のキー２０が形成されたキー板と、前記キー板の下部に位置し、前記キーの全部または一部に対応するように多数の突起２１を備えた背面層(図１１及び図１２にはキー板２２と背面層２３とを一つとして簡単に表示し、図１３にはキー板と背面層とを詳しく示したので、図１３を参照)と、前記背面層の下部に形成され、側面の光源から入射された光を面発光させる導光フィルム１０と、前記導光フィルム１０の下部に位置し、前記突起２１の位置に対応するドームスイッチ３１、３２を有する基板３０とを備えてなり、前記導光フィルム１０は５０〜２５０μｍ範囲内の厚さを有するスリムなフィルムであることを特徴とする。
【００４５】
前記導光フィルム１０は、上述した導光フィルムの特徴を選択的に採用して使用することができる。すなわち、前記導光フィルム１０の下部には反射層１１が形成され、前記導光フィルムの前面及び後面のうちの少なくとも一面の特定領域には、キーパッドの所定の領域に光が集中的に供給されるように、パターンが集中して形成されることができる。
【００４６】
導光フィルム１０の下部に反射層１１を位置させる方法には制限がなく、示したように、接着剤を用いて接着するか(図１１)、両面テープ１３を用いて接着することができる(図１２)。図示してはいないが、導光フィルムの説明において詳しく述べたように、互いに離隔するように接着することもできる。
【００４７】
前記下部突起と導光フィルムとは、示したように、互いに離隔または接触することができる。
【００４８】
前記キー板２２は、発光キーパッドに制限なく適用することができ、本発明はキー板の形状及び材質を限定しない。すなわち、キー板の各キーは、図１１及び図１２に示したように、凸状、凹状または平板状に形成されて各キーに当たる文字や数字で表現することができる。このようなキー板のキーは本技術分野においてよく知られているため、詳しい説明は省略する。
【００４９】
キーが一体的に形成された透明な平板シートからなる場合、前記キーはキー板の下部にインク層印刷を通じて表現されることができ、キーを除いた領域は有色の蒸着層を備えて色づけることができる。
【００５０】
前記背面層２３は多数の下部突起２１を備え、制限はないが、一体的に形成されることができる。前記背面層としては弾性復元力に優れたものがよく、材質としてはシリコンまたは高分子樹脂がよい。
【００５１】
前記下部突起２１は、発光キーパッドのキー板のキーの全部または一部の位置に対応するように多数が形成されることがよく、ユーザによりキーが押下されると、該当下部突起が加圧される。これにより、導光フィルムの下部に存在するドームスイッチなどのスイッチング部で電気的な接続が発生する。
【００５２】
前記光源１２には特別な制限はないが、ＬＥＤが最も好ましい。ＬＥＤは容易にカラーを実現することができ、コストも安くてよい。光源は導光フィルムの一側端に位置して側光源となり、放出される側光が導光フィルムにより面光に変わる。
【００５３】
前記基板３０には特別な制限はないが、前記印刷回路基板(ＰＣＢ)となり得、メタルドーム３２と接点端子３１で構成されるドームスイッチを備える。したがって、ユーザによりキーパッドのキートップが押下されると、下部に位置した突起の加圧により導光フィルムの加圧領域が弾性変形して印刷回路基板３０の該当メタルドーム３２を加圧する。これにより、メタルドーム３２が接点端子３１に接触してスイッチングされる。
【００５４】
メタルドームは、図１２に示したように、分離して形成されるか、図１３に示したように、一体形成されるドーム基板となることができる。
【００５５】
図１３は、本発明の他の一実施形態による発光キーパッドの断面図である。示したように、前記発光キーパッドは、多数のキー２０が形成されたキー板２２と、前記キー板２２の下部に位置し、前記キーの全部または一部に対応するように多数の突起２１を備えた背面層２３と、前記背面層２３の下部に形成され、側面の光源から入射された光を面発光させる導光フィルム１０と、前記導光フィルム１０の下部に位置し、前記突起の位置に対応するドームスイッチを有する基板３０とを備えてなり、前記ドームスイッチを有する基板の上面の全部または一部には反射層１１が形成されることを特徴とする。上述した説明と重複する部分はその説明を省略する。
【００５６】
前記反射層１１は、示したように、導光フィルムの一側端に所定の厚さを有する両面テープなどの接着部材１５を用いて接着して、導光フィルムと反射層を所定の間隔だけ離隔させることが好ましい。また、図示してはいないが、反射層は導光フィルムの両側端と接着するか、導光フィルムとは異なり、ドームスイッチを備えた基板の上面の全部または一部に反射層が形成されることができる。
【００５７】
前記導光フィルムは、上述した導光フィルムの特徴を必要に応じて選択して採用することが可能である。好ましい一例として、前記導光フィルムは５０〜２５０μｍ範囲内の厚さを有するスリムなフィルムであり、前記導光フィルムの前面及び後面のうちの少なくとも一面の特性領域には、キーパッドの所定の領域に光が集中的に供給されるように、パターンが集中して形成されることができる。
【００５８】
図１４乃至図１６は、本発明の他の一実施形態による発光キーパッドの断面図である。前記発光キーパッドは、示したように、多数のキー２０が形成されているキー板２２と、前記キー板の下部に位置し、側面の光源から入射された光を面発光させる導光フィルム１０と、前記導光フィルムの下部の所定の位置に形成された多数の突起２１と、前記突起の下部に位置し、前記突起の位置に対応するドームスイッチを有する基板３０とを備えてなり、前記導光フィルム１０は５０〜２５０μｍ範囲内の厚さを有するスリムなフィルムであることを特徴とする。上述した説明と重複する部分はその説明を省略する。図１６に示した背面層２３は、必要に応じて省略が可能である。
【００５９】
前記導光フィルムは、上述した導光フィルムの特徴を選択的に採用して使用することができる。すなわち、前記導光フィルム１０の下部には反射層１１が形成され、前記導光フィルムの前面及び後面のうちの少なくとも一面の特定領域には、キーパッドの所定の領域に光が集中的に供給されるように、パターンが集中して形成されることができる。導光フィルム１０の下部に反射層１１を位置させる方法には制限がなく、示したように、接着剤を用いて接着するか(図１４)、両面テープ１３を用いて接着することができる(図１５)。図示してはいないが、導光フィルムの説明において詳しく述べたように、導光フィルムの一側端に所定の厚さを有する両面テープなどの接着部材で接着して導光フィルムと反射層が所定の間隔だけ離隔するように接着することができる。
【００６０】
このような構成においては、突起２１が導光フィルム１０の上部に位置することでなく、導光フィルムの下部に位置するように形成される。突起が導光フィルムの上部に位置する場合には、導光フィルム及び導光フィルムに形成されたパターンが突起の加圧により変形してキーパッドの信頼性を損なう恐れを低減することができて好ましい。
【００６１】
前記突起２１の材質としては、シリコンまたは高分子樹脂が選択可能である。突起２１を形成する方法としては、導光フィルムに直接突起を形成するか、突起が形成されている層を導光フィルムの後面に取り付けて形成することができる。突起の形成方法には制限はないが、液状シリコンまたはフィルムシリコン、高分子樹脂などを突起２１に対応するように形成された成型金型を用いて１００〜１５０℃で圧着成型して形成するか、フォトリソグラフィ方法でＵＶ硬型用またはＩＲ硬化用インクをスクリーンプリンティングして形成する。
【００６２】
上述した実施形態は本発明を詳しく説明するためのものであって、本発明を限定することでないため、本発明の技術的思想の範囲内における可能な変形、修正及び省略などは、特許請求の範囲により定められる本発明の権利範囲に含まれる。
【産業上の利用可能性】
【００６３】
本発明によるキーパッドバックライト用導光フィルム及びこれを備えた発光キーパッドは、直接照明方式に比べて著しいスリム化を実現するとともに、少数の光源を使用しても反射層の導入により輝度が高く、少なくとも一面に所定のパターンを形成してキーパッドのキー領域に発光が集中されるように発光面を提供し、特に、携帯端末機に好適に適用することができる。
【図面の簡単な説明】
【００６４】
【図１】従来の直接照明方式のＬＥＤ発光キーパッドの断面図である。
【図２】従来のＥＬ方式の発光キーパッドの断面図である。
【図３】本発明の一実施形態による導光フィルムの断面図である。
【図４】本発明の一実施形態による導光フィルムの断面図である。
【図５】本発明の一実施形態による導光フィルムの断面図である。
【図６】本発明の他の一実施形態による導光フィルムのパターンに対する断面図である。
【図７】本発明の他の一実施形態による導光フィルムのパターンに対する断面図である。
【図８】本発明の他の一実施形態による導光フィルムのパターンに対する平面図である。
【図９】本発明の他の一実施形態による導光フィルムのパターンに対する平面図である。
【図１０】本発明の他の一実施形態による導光フィルムのパターンに対する平面図である。
【図１１】本発明の他の一実施形態による導光フィルムが備えられた発光キーパッドの断面図である。
【図１２】本発明の他の一実施形態による導光フィルムが備えられた発光キーパッドの断面図である。
【図１３】本発明の他の一実施形態による導光フィルムが備えられた発光キーパッドの断面図である。
【図１４】本発明の他の一実施形態による導光フィルムが備えられた発光キーパッドの断面図である。
【図１５】本発明の他の一実施形態による導光フィルムが備えられた発光キーパッドの断面図である。
【図１６】本発明の他の一実施形態による導光フィルムが備えられた発光キーパッドの断面図である。
【符号の説明】
【００６５】
１０：導光フィルム
１１：反射層
１２：光源
１３：両面テープ
１４：パターン
１５：接着部材
２０：キー
２１：突起
２２：キー板
２３：背面層
３０：基板
３１：接点端子
３２：メタルドーム
【図１】
2008537311.tif 000003
【図２】
2008537311.tif 000004
【図３】
2008537311.tif 000005
【図４】
2008537311.tif 000006
【図５】
2008537311.tif 000007
【図６】
2008537311.tif 000008
【図７】
2008537311.tif 000009
【図８】
2008537311.tif 000010
【図９】
2008537311.tif 000011
【図１０】
2008537311.tif 000012
【図１１】
2008537311.tif 000013
【図１２】
2008537311.tif 000014
【図１３】
2008537311.tif 000015
【図１４】
2008537311.tif 000016
【図１５】
2008537311.tif 000017
【図１６】
2008537311.tif 000018
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
多数のキーが形成されているキー板と、
前記キー板の下部に位置し、前記キーの全部または一部に対応するように多数の突起を有する背面層と、
前記背面層の下部に形成され、側面の光源から入射された光を面発光させる導光フィルムと、
前記導光フィルムの下部に位置し、前記突起の位置に対応するドームスイッチを有する基板とを備えてなり、
前記導光フィルムは、５０〜２５０μｍ範囲内の厚さを有するスリムなフィルムであり、前記導光フィルムの下部には反射層が形成されることを特徴とする発光キーパッド。
【請求項２】
前記導光フィルムの前面及び後面のうちの少なくとも一面の特定領域には、キーパッドの所定の領域に光が集中的に供給されるように、キーパッドの文字や数字に相応する領域にパターンが集中して形成され、光源から遠くなるほど密度が増加する形態でパターンが形成されることを特徴とする請求項１に記載の発光キーパッド。
【請求項３】
多数のキーが形成されているキー板と、
前記キー板の下部に位置し、前記キーの全部または一部に対応するように多数の突起を有する背面層と、
前記背面層の下部に形成され、側面の光源から入射された光を面発光させる導光フィルムと、
前記導光フィルムの下部に位置し、前記突起の位置に対応するドームスイッチを有する基板とを備えてなり、
前記ドームスイッチを有する基板の上面の全部または一部には反射層が形成されることを特徴とする発光キーパッド。
【請求項４】
前記導光フィルムの前面及び後面のうちの少なくとも一面の特定領域には、キーパッドの所定の領域に光が集中的に供給されるように、キーパッドの文字や数字に相応する領域にパターンが集中して形成され、光源から遠くなるほど密度が増加する形態でパターンが形成されることを特徴とする請求項３に記載の発光キーパッド。
【請求項５】
多数のキーが形成されているキー板と、
前記キー板の下部に位置し、側面の光源から入射された光を面発光させる導光フィルムと、
前記導光フィルムの下部の所定の位置に形成されている多数の突起と、
前記突起の下部に位置し、前記突起の位置に対応するドームスイッチを有する基板とを備えてなり、
前記導光フィルムの後面には、銀、二酸化チタン、酸化亜鉛、硫酸バリウム、乳化亜鉛、鉛白、酸化アンチモンのいずれかの材質よりなる反射層が形成されている発光キーパッド。
【請求項６】
前記導光フィルムの前面及び後面のうちの少なくとも一面の特定領域には、キーパッドの所定の領域に光が集中的に供給されるように、キーパッドの文字や数字に相応する領域にパターンが集中して形成されることを特徴とする請求項５に記載の発光キーパッド。
【請求項７】
前記導光フィルムは、ポリカーボネート(ＰＣ)またはポリエチレンテレフタレート(ＰＥＴ)材質であることを特徴とする請求項１乃至請求項６のうちのいずれか一項に記載の発光キーパッド。
【請求項８】
光源から入射された光を面発光させるキーパッドバックライト用導光フィルムを有する発光キーパッドであって、
前記導光フィルムの下部には、銀、二酸化チタン、酸化亜鉛、硫酸バリウム、乳化亜鉛、鉛白、酸化アンチモンのいずれかの材質よりなる反射層が形成され、
前記導光フィルムの前面及び後面のうちの少なくとも一面の特定領域には、キーパッドの所定の領域に光が集中的に供給されるように、キーパッドの文字や数字に相応する領域にパターンが集中して形成されることを特徴とするキーパッドバックライト用導光フィルムを有する発光キーパッド。
【請求項９】
前記導光フィルムと前記反射層は所定の間隔だけ離隔されることを特徴とする請求項８に記載のキーパッドバックライト用導光フィルムを有する発光キーパッド。
【請求項１０】
前記導光フィルムは、５０〜２５０μｍ範囲内の厚さを有するスリムなフィルムであることを特徴とする請求項８に記載のキーパッドバックライト用導光フィルムを有する発光キーパッド。
【請求項１１】
前記反射層はシート(Sheet)からなり、両面テープを用いて導光フィルムの後面の一側端、両側端または全面に取り付け形成されることを特徴とする請求項８に記載のキーパッドバックライト用導光フィルムを有する発光キーパッド。
【請求項１２】
前記パターンは、７０〜１５０℃範囲内で加熱した金型を用いてホットプレス方法で形成されることを特徴とする請求項８に記載のキーパッドバックライト用導光フィルムを有する発光キーパッド。
【請求項１３】
前記パターンは、光散乱剤含有インクを導光フィルムにシルクプリンティングして形成されることを特徴とする請求項８に記載のキーパッドバックライト用導光フィルムを有する発光キーパッド。
【請求項１４】
前記パターンは、光源から遠くなるほど、サイズが大きくなることを特徴とする請求項８に記載のキーパッドバックライト用導光フィルムを有する発光キーパッド。
【国際調査報告】
2008537311.tif 000019
2008537311.tif 000020